(57)【特許請求の範囲】
【請求項１】
長さ調整可能なワイヤハーネスであって、
第１、第２端末を有する電線と、
第１、第２開口端を有する可撓性の樹脂製チューブからなる管部とを備え、
前記第１端末を、前記第１開口端から前記管部内に挿入して前記第２開口端から前記管部外に引き出し、
前記第２端末を、前記第２開口端から前記管部内に挿入して前記第１開口端から前記管部外に引き出し、もって、
前記管部内に前記電線の中間部分を交差状態に収容して保持するとともに、前記管部外に前記電線の余長部分を環状に回曲する状態となし、
前記第１、第２端末を互いに接近・離間させた場合に、前記電線の中間部分が前記管部の内面を摺接して、前記電線の余長部分が拡径・縮径するものであり、前記電線の中間部分がスプリングバック作用によって前記管部の内周面に弾性的に接触するようになっていることを特徴とするワイヤハーネス。
【請求項２】
前記第１、第２端末を互いに接近・離間させた場合に、前記第１、第２端末間における前記管部の相対位置が変動する請求項１記載のワイヤハーネス。
【発明の詳細な説明】
【技術分野】
【０００１】
本発明は、ワイヤハーネスに関する。
【背景技術】
【０００２】
ワイヤハーネスの電線を配索するにあたり、ワイヤハーネスに伸縮機能をもたせた上で、電線の余長部分をプロテクタ等に収納することがある。例えば、特許文献１に記載のものでは、プロテクタ内に複数の電線挿通路が形成されており、各電線挿通路に電線を折り返し状に選択的に沿わせることで、ワイヤハーネスの長さ調整を行うようにしている。
【先行技術文献】
【特許文献】
【０００３】
【特許文献１】特開２０００−２１５７３６号公報
【発明の概要】
【発明が解決しようとする課題】
【０００４】
ところで、上記従来のワイヤハーネスでは、プロテクタ内に電線挿通路を区画する突部が必要とされるとともに、プロテクタの蓋締めを行うためのロック構造が必要とされる。このため、構成が複雑になり、コストがかさむという事情がある。
また、電線の両端間の長さ調整を行う際には、プロテクタ内において、各電線挿通路に対する電線の配索構造を逐一変更せねばならず、作業が煩雑になる嫌いがある。
【０００５】
本発明は上記のような事情に基づいて完成されたものであって、長さ調整可能なワイヤハーネスにおいて、構成の簡素化を実現するとともに、長さ調整時の作業性を改善することを目的とする。
【課題を解決するための手段】
【０００６】
上記の目的を達成するための手段として、請求項１の発明は、長さ調整可能なワイヤハーネスであって、第１、第２端末を有する電線と、第１、第２開口端を有する可撓性の樹脂製チューブからなる管部とを備え、前記第１端末を、前記第１開口端から前記管部内に挿入して前記第２開口端から前記管部外に引き出し、前記第２端末を、前記第２開口端から前記管部内に挿入して前記第１開口端から前記管部外に引き出し、もって、前記管部内に前記電線の中間部分を交差状態に収容して保持するとともに、前記管部外に前記電線の余長部分を環状に回曲する状態となし、前記第１、第２端末を互いに接近・離間させた場合に、前記電線の中間部分が前記管部の内面を摺接して、前記電線の余長部分が拡径・縮径するものであり、前記電線の中間部分がスプリングバック作用によって前記管部の内周面に弾性的に接触するようになっているところに特徴を有する。
【０００７】
請求項２の発明は、請求項１に記載のものにおいて、前記第１、第２端末を互いに接近・離間させた場合に、前記第１、第２端末間における前記管部の相対位置が変動するところに特徴を有する。
【発明の効果】
【０００８】
＜請求項１の発明＞
電線の中間部分が管部内に交差状態に収容保持され、電線の余長部分が管部外に環状に回曲されるため、余長部分の分、電線の長さ（第１、第２端末間の直線距離）が短縮される。また、第１、第２端末を互いに接近・離間させることにより、電線の中間部分が管部の内面を摺接して、電線の余長部分が拡径・縮径するため、余長部分の変化に応じて、電線の長さが適宜に調整される。この場合に、長さ調整部材として、管部を用意すれば足りるから、構成の簡素化が実現される。また、第１、第２端末の接離動作に連動して長さ調整が行われるから、作業性が改善される。
【０００９】
＜請求項２の発明＞
第１、第２端末を互いに接近・離間させた場合に、第１、第２端末間における管部の相対位置が変動するため、第１、第２端末の動作量（ストローク量）が小さくても、余長部分の拡縮量を大きくとることができ、作業効率に優れる。
【図面の簡単な説明】
【００１０】
【図１】本発明の実施形態１に係るワイヤハーネスにおいて、電線が管部に短縮状態で保持されている状態を示す正面図である。
【図２】電線が管部に伸長状態で保持されている状態を示す正面図である。
【図３】電線が短縮状態で収容されている状態を示すランス装置への組付図である。
【図４】電線が伸長状態で引き伸ばされた状態を示すランプ装置の分解図である。
【図５】参考例１に係るワイヤハーネスにおいて、電線が短縮状態で保持されている状態を示す正面図である。
【図６】電線が伸長状態で保持されている状態を示す正面図である。
【図７】参考例２に係るワイヤハーネスにおいて、電線が棒材に短縮状態で保持されている状態を示す正面図である。
【図８】電線が棒材に伸長状態で保持されている状態を示す正面図である。
【発明を実施するための形態】
【００１１】
＜実施形態１＞
本発明の実施形態１を図１ないし図４によって説明する。実施形態１に係るワイヤハーネスは、電線１０と、管部６０とを備えている。
【００１２】
電線１０は、芯線の周りを絶縁被覆で包囲した被覆電線からなる。本実施形態の場合、複数本が束ねられ、各電線１０は、長さ方向の適宜箇所に巻き付けられるテープ２０によって、電線群１０Ａとして、ばらけないように一体化されている。電線群１０Ａの長さ方向一端は第１端末１１とされ、電線群１０Ａの長さ方向他端は第２端末１２とされている（図３を参照）。第１、第２端末１１、１２は、それぞれ、端子等に接続された状態でコネクタ等の取付部材９０に装着されるようになっている。
【００１３】
管部６０は、円管状であって、可撓性の樹脂製チューブからなる。本実施形態の場合、管部６０は、例えば、１ｃｍ〜３ｃｍの長さに調整されている。管部６０内は、電線群１０Ａが挿入される貫通孔６１とされ、管部６０の長さ方向一端は、第１開口端６２とされ、管部６０の長さ方向他端は、第２開口端６３とされている。
【００１４】
ここで、電線群１０Ａの第１端末１１は、第１開口端６２を通して管部６０の貫通孔６１内に挿入され、さらに第２開口端６３から外部に引き出される。一方、電線群１０Ａの第２端末１２は、第２開口端６３を通して管部６０の貫通孔６１内に挿入され、さらに第１開口端６２から外部に引き出される。これにより、電線群１０Ａの中間部１３Ａ、１３Ｂは、管部６０の貫通孔６１内に交差状態に収容され、電線群１０Ａのスプリングバック作用によって、貫通孔６１の内周面に所定の摩擦力をもって弾性的に接触するようになっている。
【００１５】
そして、第１、第２端末１１、１２が管部６０内に互いに交差して挿通された状態では、管部６０外において、電線群１０Ａの余長部１４が円環状に回曲させられることとなる。なお、電線群１０Ａの中間部１３Ａ、１３Ｂは、余長部１４を挟んだ両側の部分で対をなし、第１端末１１側の第１中間部１３Ａと、第２端末１２側の第２中間部１３Ｂとで構成されている。
【００１６】
次に、本実施形態に係るワイヤハーネスの使用状況について説明する。
管部６０内を貫通した第１、第２端末１１、１２は、取付部材９０に装着される。本実施形態の場合、ワイヤハーネスは、自動車のヘッドランプ等のランプ装置５０内に組み込まれる（図３を参照）。ランプ装置５０は、ランプボディ５１及びランプカバー５２によって区画されるランプ室５３と、ランプ室５３内に配置される光源としてのリフレクタ５４及びレンズ５５と、ランプ室５３内においてレンズ５５の周囲からランプカバー５２にかけて延在するエクステンション５６とを備えている。ワイヤハーネスは、同じくランプ室５３内に配置され、その一端（第１、第２端末１１、１２のうちのいずれか一方）がリフレクタ５４に接続され、その他端（第１、第２端末１１、１２のうちのいずれか他方）がランプボディ５１を貫通して車両側のコネクタ４０に接続されている。
【００１７】
上記のように、ワイヤハーネスの配索スペースは、ランプ室５３内の限られた範囲に制約されている。このため、ランプ装置５０内に組み付けられた状態では、電線群１０Ａは、その長さ（第１、第２端末１１、１２間の直線距離）を短くした短縮状態で収容されることが求められる。一方、組み付けの過程又は取り外しの過程では、電線群１０Ａは、作業の利便性から、その長さを長くした伸長状態になることが求められる（図４を参照）。
【００１８】
電線群１０Ａを短縮状態にするには、第１、第２端末１１、１２を互いに接近する向きに変位させればよい。すると、第１、第２中間部１３Ａ、１３Ｂが互いに摺接するとともに、第１、第２中間部１３Ａ、１３Ｂが管部６０の貫通孔６１の内周面に摺接し、それに伴って余長部１４が拡径させられる。こうして余長部１４の長さが周方向に長くなると、第１、第２端末１１、１２の動作量に応じて、電線群１０Ａの長さが短縮させられる（図１を参照）。なお、組み付け状態では、電線群１０Ａの余長部１４がクリップ５８によってランプボディ５１に固定されている。
【００１９】
これに対し、電線群１０Ａを伸長状態にするには、第１、第２端末１１、１２を互いに離間する向きに変位させればよい。すると、第１、第２中間部１３Ａ、１３Ｂが互いに摺接するとともに、第１、第２中間部１３Ａ、１３Ｂが管部６０の貫通孔６１の内周面に摺接し、それに伴って余長部１４が縮径させられる。こうして余長部１４の長さが周方向に短くなると、第１、第２端末１１、１２の動作量に応じて、電線群１０Ａの長さが伸長させられる（図２を参照）。
【００２０】
電線群１０Ａが短縮状態又は伸長状態にあるとき、第１、第２中間部１３Ａ、１３Ｂが管部６０の貫通孔６１の内周面に弾性的に当接することで、電線群１０Ａが短縮状態又は伸長状態に保持される。また、第１、第２端末１１、１２の変位動作に伴い、電線群１０Ａに沿って管部６０全体が押し引きされ、第１、第２端末１１、１２間における管部６０の相対位置が変動する。このため、第１、第２端末１１、１２の変位量（ストローク量）以上に、余長部１４の拡縮動作がなされるようになっている。
【００２１】
以上説明したように、本実施形態によれば、ワイヤハーネスの電線群１０Ａの長さ調整を行うに際し、長さ調整部材として、管状の管部６０を用意すれば足りるから、構成の簡素化が実現される。また、第１、第２端末１１、１２の変位動作に連動して長さ調整が行われるから、長さ調整時の作業性が改善される。
【００２２】
さらに、第１、第２端末１１、１２を互いに接近・離間させた場合に、第１、第２端末１１、１２間における管部６０の相対位置が変動するため、第１、第２端末１１、１２の動作量が小さくても、余長部１４の拡縮量を大きくとることができ、作業効率に優れる。
【００２３】
＜参考例１＞
図５及び図６は、参考例１を示す。このものは、実施形態１と違って、管部６０を有さず、ワイヤハーネスの電線群１０Ａのみで構成されている。
【００２４】
電線群１０Ａは、その中間部１３Ａ、１３Ｂで１重に結び付けられ、その結び目１９の部分の摩擦抵抗によって所定長さに保持されている。第１、第２端末１１、１２を互いに接近させれば、余長部１４が拡径し、第１、第２端末１１、１２を互いに離間させれば、余長部１４が縮径する点は、実施形態１と同様である。しかし、参考例１は、管部６０を有さないため、実施形態１に比べ、伸縮動作の円滑性に欠ける嫌いがある。
【００２５】
＜参考例２＞
図７及び図８は、参考例２を示す。このものは、電線群１０Ａと、電線群１０Ａの長さ方向に間隔をあけつつ同電線群１０Ａに沿って配置される複数の棒状部７１と、各棒状部７１の両端部及び電線群１０Ａに巻き付けられて両者を固定するテープ等の固定部７２とを備えている。各棒状部７１はほぼ同じ長さに揃えられ、電線群１０Ａの各棒状部７１間はほぼ同じ間隔に揃えられている。電線群１０Ａのうち、各棒状部７１で支持される部分は硬質部７３とされ、各棒状部７１間は柔軟部７４とされ、硬質部７３と柔軟部７４との間は節部７５とされる。
【００２６】
ここで、第１、第２端末１１、１２を互いに接近する向きに変位させると、節部７５を略支点として、電線群１０Ａが折り畳まれ、電線群１０Ａが短縮状態に保持される。このとき、硬質部７３は各棒状部７１によって直線状に延出する状態に保たれ、柔軟部７４は略Ｕ字状に屈曲する状態に保たれる（図７を参照）。一方、第１、第２端末１１、１２を互いに離間する向きに変位させると、柔軟部７４の屈曲状態が解除され、電線群１０Ａが全体的に引き伸ばされた伸長状態に保持される（図８を参照）。参考例２では、短縮状態でワイヤハーネスをコンパクトにまとめることができるものの、実施形態１に比べ、構成が複雑になる嫌いがある。
【００２７】
＜他の実施形態＞
本発明は上記記述及び図面によって説明した実施形態に限定されるものではなく、例えば次のような実施形態も本発明の技術的範囲に含まれる。
（１）電線が１本のみからなるものであってもよい。
（２）本発明は、ランプ装置内に配索されるワイヤハーネス以外にも適用可能である。
【符号の説明】
【００２８】
１０…電線
１０Ａ…電線群
１１…第１端末
１２…第２端末
１３Ａ…第１中間部（中間部分）
１３Ｂ…第２中間部（中間部分）
１４…余長部
６０…管部
６２…第１開口端
６３…第２開口端
【図１】
0005703773.tif 000002
【図２】
0005703773.tif 000003
【図３】
0005703773.tif 000004
【図４】
0005703773.tif 000005
【図５】
0005703773.tif 000006
【図６】
0005703773.tif 000007
【図７】
0005703773.tif 000008
【図８】
0005703773.tif 000009